(57)【特許請求の範囲】
【請求項１】
１又は複数台のモニタテレビ付インターホン親機と、複数台のカメラ付ドアホン子器と、１又は複数台のモニタテレビ付インターホン副親機とで構成され、上記インターホン親機は上記ドアホン子器と上記インターホン副親機とを接続可能とし、上記インターホン副親機は上記インターホン親機と他のインターホン副親機とを接続可能としており、上記インターホン親機及びインターホン副親機の各々には、応答可能とする１台のドアホン子器を設定する設定手段を備えているテレビインターホンシステムにおいて、
上記インターホン親機及びインターホン副親機の各々は、上記複数台のドアホン子器のいずれかからの呼び出しがあったときは、上記設定手段を参照して、
呼出元のドアホン子器が応答可能なドアホン子器であるときは、呼出音を鳴動させるとともに、そのドアホン子器のカメラが撮影する映像をモニタテレビに映し出す一方、
呼出元のドアホン子器が応答可能なドアホン子器でないときは、呼出音を鳴動させず、モニタテレビも作動させないことを特徴とするテレビインターホンシステム。
【請求項２】
上記インターホン親機及びインターホン副親機の各々には、ドアホン子器側をモニタするために操作されるモニタボタンを備えており、
上記モニタボタンが操作されたときには、上記設定手段に設定されている応答可能なドアホン子器のカメラが撮影する映像を、モニタテレビに映し出すことを特徴とする請求項１に記載のテレビインターホンシステム。
【請求項３】
上記インターホン親機及びインターホン副親機の各々は、上記モニタボタンが操作されたときには、更に、上記設定手段に設定されているドアホン子器が集める音を出力することを特徴とする請求項２に記載のテレビインターホンシステム。
【請求項４】
上記インターホン親機及びインターホン副親機の各々は、上記モニタボタンの操作によってドアホン子器側をモニタしている最中に、再度、モニタボタンが操作されたときには、ドアホン子器側のモニタを終了することを特徴とする請求項２又は請求項３に記載のテレビインターホンシステム。
【請求項５】
上記インターホン親機及びインターホン副親機の各々には、他のインターホン親機又はインターホン副親機が、呼出音の鳴動、通話、ドアホン子器側のモニタのいずれかを行っていることを表示する表示手段を、更に備えていることを特徴とする請求項１〜請求項４のいずれかに記載のテレビインターホンシステム。
【請求項６】
上記インターホン親機は、上記１又は複数台のインターホン副親機をシリアル接続する構成としている請求項１〜請求項５のいずれかに記載のテレビインターホンシステム。
【発明の詳細な説明】
【０００１】
【発明の属する技術分野】
本発明は、２世帯住宅などで適用されるテレビインターホンシステムの改良に関する。
【０００２】
【従来の技術】
近時、１つの住宅に生活空間を異にした２家族が同居する形態の２世帯住宅が普及してきており、このような住宅のテレビインターホンシステムは、図７に示すような構成になっている。
２世帯住宅では、来客への対応を別々に行うため、各世帯の玄関口にカメラ付ドアホン子器を１台ずつ（Ｄ１，Ｄ２）備えて、各世帯に設置されたモニタテレビ付インターホン親機Ａ、あるいは、モニタテレビ付インターホン副親機Ａ１〜Ａ３とのインターホン通話を可能にしており、また、各親機Ａ，Ａ１〜Ａ３間は、内線通話（異世帯間、同世帯間）もできるようになっている。
【０００３】
いずれか一方の世帯に設置された１台のインターホン親機Ａには、２台のドアホン子器Ｄ１，Ｄ２を接続しており、インターホン副親機Ａ１〜Ａ３は、インターホン親機Ａにシリアル接続されている。ここでは、親機Ａと副親機Ａ１を親世帯に、副親機Ａ２，Ａ３を子世帯に設置した例を示している。
このような構成において、インターホン親機Ａ、副親機Ａ１〜Ａ３の各々には、呼出音を鳴動させる子器Ｄ１，Ｄ２を設定する子器設定スイッチｓｗ，ｓｗ１〜ｓｗ３を備えており、各世帯毎に、この設定を変えることによって、２台のドアホン子器Ｄ１，Ｄ２に呼び出しのいずれか一方に対してのみ、呼出音を鳴動させ、ハンドセットｈを取り上げて応答することにより、通話が開始できるようになっている。
【０００４】
ここでは、親世帯の親機Ａ，Ａ１の子器設定スイッチｓｗ，ｓｗ１は、ドアホン子器Ｄ１に対してのみ呼出音を鳴動させ、子世帯の親機Ａ２，Ａ３の子器設定スイッチｓｗ２，ｓｗ３は、ドアホン子器Ｄ２に対してのみ呼出音を鳴動させる設定になっている。
【０００５】
【発明が解決しようとする課題】
ところが、上記従来のテレビインターホンシステムでは、ドアホン子器Ｄ１，Ｄ２のいずれかから呼出があったときは、そのドアホン子器Ｄ１，Ｄ２のカメラを駆動させ、カメラが撮影する映像を、すべての親機Ａ，Ａ１〜Ａ３のモニタテレビｔｖに映し出すようになっている。すなわち、子器設定スイッチｓｗ，ｓｗ１〜ｓｗ３の設定は、呼出音の鳴動に対してのみ有効であって、子器Ｄ１，Ｄ２側の映像については、そのような設定をする手段は備わっていなかった。このため、自世帯に対する来客の映像が、他世帯にも映し出されることになり、世帯間のプライバシーが守られていないのが問題となっていた。
【０００６】
また、各親機Ａ，Ａ１〜Ａ３には、モニタボタンｂ’が備えられており、このモニタボタンｂ’を操作すれば、ドアホン子器Ｄ１，Ｄ２側の映像が見られるようになっているが、この場合も、どの親機Ａ，Ａ１〜Ａ３においても、最初にモニタボタンｂ’を操作すると、まず、インターホン親機Ａがある親世帯側の子器Ｄ１の映像が映し出され、この状態で再度モニタボタンｂ’を操作すると、子世帯側の子器Ｄ２の映像が映し出されるようになっており、他の世帯の子器Ｄ１，Ｄ２側の映像が見れるようになっていた。
【０００７】
本発明は、このような事情に鑑みてなされたものであり、各親機において、子器からの呼出時と子器側のモニタ時のいずれにおいても、予め設定した子器の映像のみが、モニタテレビに映し出されるようにしたテレビインターホンシステムを提供することを目的としている。
【０００８】
【課題を解決するための手段】
上記目的を達成するために、本発明の請求項１に記載のテレビインターホンシステムでは、インターホン親機及びインターホン副親機の各々は、複数台のドアホン子器のいずれかからの呼び出しがあったときは、設定手段を参照して、呼出元のドアホン子器が応答可能なドアホン子器であるときは、呼出音を鳴動させるとともに、そのドアホン子器のカメラが撮影する映像をモニタテレビに映し出す一方、呼出元のドアホン子器が応答可能なドアホン子器でないときは、呼出音を鳴動させず、モニタテレビも作動させないことを特徴とする。
【０００９】
すなわち、従来の各親機の子器設定スイッチに、どの子器からの呼出に対して呼出音を鳴動させるかを設定する機能に加え、そのときに子器側の映像を映し出すか否かを設定する機能を備える。
請求項２では、インターホン親機及びインターホン副親機の各々には、ドアホン子器側をモニタするために操作されるモニタボタンを備えており、モニタボタンが操作されたときには、設定手段に設定されている応答可能なドアホン子器のカメラが撮影する映像を、モニタテレビに映し出すことを特徴とする。つまり、映像モニタは、予め設定している子器に対してのみ有効とする。
【００１０】
請求項３では、インターホン親機及びインターホン副親機の各々は、モニタボタンが操作されたときには、更に、設定手段に設定されているドアホン子器が集める音を出力することを特徴とする。音モニタも同様に、予め設定している子器に対してのみ有効とする。
請求項４では、インターホン親機及びインターホン副親機の各々は、モニタボタンの操作によってドアホン子器側をモニタしている最中に、再度、モニタボタンが操作されたときには、ドアホン子器側のモニタを終了することを特徴とする。つまり、再度モニタボタンを操作しても、他世帯の子器側をモニタすることがない。
【００１１】
請求項５では、インターホン親機及びインターホン副親機の各々には、他のインターホン親機又はインターホン副親機が、呼出音の鳴動、通話、ドアホン子器側のモニタのいずれかを行っていることを表示する表示手段を備える。これによって、モニタボタンの操作によるドアホン子器側のモニタや、内線通話が禁止されていることが分かる。なお、表示手段は、ＬＥＤランプや液晶画面などで構成される。
【００１２】
請求項６では、インターホン親機は、１又は複数台のインターホン副親機をシリアル接続する構成としている。
【００１３】
【発明の実施の形態】
以下に、本発明の実施の形態について、図面とともに説明する。
図１は、テレビインターホンシステムの構成を示した図である。ここでは、親世帯と子世帯からなる２世帯住宅のテレビインターホンシステムを示しているが、これには限定されず、複数のカメラ付ドアホン子器と、複数のモニタテレビ付インターホン親機（親機と副親機）とからなるテレビインターホンシステムであればよく、例えば、ドアホン子器を１つの世帯の玄関口と裏口とに設置し、それぞれ応答する親機が異なるようなシステム構成であってもよい。
【００１４】
図示する２世帯住宅では、来客の対応を別々に行うため、各世帯の玄関口にドアホン子器を１台ずつ（Ｄ１，Ｄ２）備え、各世帯に対応して設置されたインターホン親機Ａ、あるいは、インターホン副親機Ａ１〜Ａ３とのインターホン通話を可能にするとともに、各親機Ａ，Ａ１〜Ａ３間の内線通話（異世帯間、同世帯間）を可能にしている。ここでは、親世帯にインターホン親機Ａと副親機Ａ１の２台を、子世帯に副親機Ａ２，Ａ３の２台を設置している例を示している。
【００１５】
親世帯に設置されたインターホン親機Ａには、２台のドアホン子器Ｄ１，Ｄ２を回線Ｌ１，Ｌ１を介してパラレル接続しており、更に、インターホン副親機Ａ１〜Ａ３を回線Ｌ２を介してシリアル接続している。したがって、この構成では通話経路が１系統なので、各親機Ａ，Ａ１〜Ａ３の伝送制御は容易となる。
なお、接続形態は、図示したものには限定されず（図６とともに後述する）、例えば、親機Ａと副親機Ａ１〜Ａ３をパラレル接続したような形態でもよく、複数の子器Ｄ１，Ｄ２に対し、複数の親機Ａ，Ａ１〜Ａ３が応答できる構成であればよい。
【００１６】
このような構成において、各親機Ａ，Ａ１〜Ａ３の各々には、応答可能な１台のドアホン子器Ｄ１，Ｄ２を設定する設定手段として、ディップスイッチなどで構成された子器設定スイッチｓｗ，ｓｗ１〜ｓｗ３を備えており、各世帯毎にこの設定を変えることによって、２台のドアホン子器Ｄ１，Ｄ２から呼出ボタンｂを操作して呼出があったときに、いずれか一方に呼出に対してのみ、スピーカｓｐから呼出音を鳴動させ、通話ボタンｂ１の操作により応答したときには、通話を開始できるようにしている。言い換えれば、子器設定スイッチｓｗ，ｓｗ１〜ｓｗ３には、通話ボタンｂ１の操作を有効とする呼出を、どのドアホン子器Ｄ１，Ｄ２からの呼出とするかを設定している。
【００１７】
なお、図中、波線で囲んで、その設定内容を示している子器設定スイッチｓｗ，ｓｗ１〜ｓｗ３は、実際には、親機Ａ，Ａ１〜Ａ３の正面のカバー内や、裏面などに構成されており、いたずらなどでは簡単に変更できないようになっている。また、通話ボタンｂ１は、図示したような、ハンズフリー通話を行うために操作されるものには限定されず、ハンドセットの取り上げによって操作されるオフフックボタンも含まれる（図７参照）。
【００１８】
ここでは、親世帯の親機Ａ，Ａ１の子器設定スイッチｓｗ，ｓｗ１は子器Ｄ１に対してのみ呼出音を鳴動させ、子世帯の親機Ａ２，Ａ３の子器設定スイッチｓｗ２，ｓｗ３は子器Ｄ２に対してのみ呼出音を鳴動させる設定になっている。
本発明では、各親機Ａ，Ａ１〜Ａ３の子器設定スイッチｓｗ，ｓｗ１〜ｓｗ３は、いずれの子器Ｄ１，Ｄ２からの呼出に対して呼出音を鳴動させるかを設定するとともに、その呼出音の鳴動時にのみ子器Ｄ１，Ｄ２側の映像を映し出すことを設定する。
【００１９】
インターホン親機Ａ及びインターホン副親機Ａ１〜Ａ３の各々は、複数台のドアホン子器Ｄ１，Ｄ２のいずれかからの呼び出しがあったときは、子器設定スイッチｓｗ，ｓｗ１〜ｓｗ３の設定を参照する。そして、呼出元のドアホン子器Ｄ１，Ｄ２が応答可能なドアホン子器Ｄ１，Ｄ２であるときは、呼出音を鳴動させるとともに、そのドアホン子器Ｄ１，Ｄ２のカメラｃが撮影する映像をモニタテレビｔｖに映し出す。一方、呼出元のドアホン子器Ｄ１，Ｄ２が応答可能なドアホン子器Ｄ１，Ｄ２でないときは、呼出音を鳴動させず、モニタテレビｔｖも作動させない。
【００２０】
このときの動作をまとめると、図２に示すようになる。ここには、各親機Ａ，Ａ１〜Ａ３の子器設定スイッチｓｗ，ｓｗ１〜ｓｗ３が、図１に示したように設定されている場合を示している。
（ａ）は、図１に示すように、子器Ｄ１から呼出があった場合であり、このときは、親世帯の親機Ａ，Ａ１のみが、スピーカｓｐから呼出音を出力し、モニタテレビｔｖに子器Ｄ１の映像を映し出して、通話ボタンｂ１の操作による通話を可能とする。
【００２１】
一方、（ｂ）の子器Ｄ２から呼出があった場合は、逆に、子世帯の親機Ａ２，Ａ３のみが、スピーカｓｐから呼出音を出力し、モニタテレビｔｖに子器Ｄ２の映像を映し出して、通話ボタンｂ１の操作による通話を可能とする。
次に、このテレビインターホンシステムのモニタ機能について説明する。
インターホン親機Ａ及びインターホン副親機Ａ１〜Ａ３の各々には、ドアホン子器Ｄ１，Ｄ２側をモニタするために操作されるモニタボタンｂ２を備えており、このモニタボタンｂ２が操作されたときには、子器設定スイッチｓｗ，ｓｗ１〜ｓｗ３に設定されている応答可能なドアホン子器Ｄ１，Ｄ２のカメラｃが撮影する映像を、モニタテレビｔｖに映し出す（映像モニタ機能）。
【００２２】
また、モニタボタンｂ２が操作されたときに、映像モニタに加えて、子器設定スイッチｓｗ，ｓｗ１〜ｓｗ３に設定されている応答可能なドアホン子器Ｄ１，Ｄ２のマイク（不図示）が集める音を、スピーカｓｐから出力することもできる（音モニタ機能）。
したがって、各親機Ａ，Ａ１〜Ａ３の子器設定スイッチｓｗ，ｓｗ１〜ｓｗ３は、モニタボタンｂ２の操作をどのドアホン子器Ｄ１，Ｄ２に対するモニタに有効にするかを設定する機能をもつ。
【００２３】
図３には、モニタ時の動作の一例をシステム構成を用いて示している。この例は、子世帯にあるインターホン副親機Ａ３のモニタボタンｂ２を操作した場合であり、モニタテレビｔｖには、子器Ｄ２側の映像を映し出している。
また、各親機Ａ，Ａ１〜Ａ３は、モニタボタンｂ２の操作によってドアホン子器Ｄ１，Ｄ２側をモニタしている最中に、再度、モニタボタンｂ２が操作されたときには、そのモニタを終了する。
【００２４】
したがって、図３の副親機Ａ３は、１回目のモニタボタンｂ２の操作で子器Ｄ２側をモニタし、２回目のモニタボタンｂ２の操作でモニタ機能を終了するようになっており、親世帯側の子器Ｄ１側をモニタすることはない。
次に、インターホン親機Ａとインターホン副親機Ａ１〜Ａ３において、他のインターホン親機Ａ又はインターホン副親機Ａ１〜Ａ３が、呼出音の鳴動、通話（内線通話も含む）、ドアホン子器Ｄ１，Ｄ２側のモニタのいずれかを行っている期間中の動作について説明する。
【００２５】
各親機Ａ，Ａ１〜Ａ３は、これらの期間中は、他の親機Ａ，Ａ１〜Ａ３によって回線Ｌ１，Ｌ２が使用されているので、モニタボタンｂ２の操作によるドアホン子器Ｄ１，Ｄ２側のモニタや内線通話を禁止する。なお、この場合、子器設定スイッチｓｗ，ｓｗ１〜ｓｗ３の設定が同じもの同士は除外してもよく、例えば、図１のように呼出音が鳴動している親世帯の親機Ａ，Ａ１では、既に子器Ｄ１の映像がモニタテレビｔｖに映し出されているので、モニタする必要はないが、モニタ機能に音モニタ機能も備えているときには、モニタボタンｂ２を有効としてもよい。また、図３のように、子世帯の副親機Ａ３においてモニタしているときに、子世帯の他の副親機Ａ２でモニタボタンｂ２を有効としてもよい。
【００２６】
また、本発明では、インターホン親機Ａ及びインターホン副親機Ａ１〜Ａ３の各々に、表示手段として、これら期間中であるときに点灯あるいは点滅する回線使用中ランプｌを備える。これによれば、一目で、このランプｌの点灯あるいは点滅中は、内線通話や子器Ｄ１，Ｄ２側のモニタができないことが分かる。
なお、この回線使用中ランプｌの点灯あるいは点滅も、呼出音の鳴動、通話、ドアホン子器Ｄ１，Ｄ２側のモニタを行っている親機Ａ，Ａ１〜Ａ３と、子器設定スイッチｓｗ，ｓｗ１〜ｓｗ３の設定が異なる親機Ａ，Ａ１〜Ａ３のみで行うようにしてもよい。つまり、回線使用中ランプｌの状態を、世帯間で、点灯あるいは点滅と、消灯とに区別してもよい。
【００２７】
次に、インターホン親機Ａと、インターホン副親機Ａ１〜Ａ３の内部構成を各々、図４と図５に示す。なお、インターホン親機Ａに回線Ｌ２（多重信号線）を介してシリアル接続されるインターホン副親機Ａ１〜Ａ３は、すべて同様の構成になっているので、そのうちの１台のみ（Ａ１）の構成を図５に示している。
図４に示したインターホン親機Ａは、マイコン１０が以下の各部を制御しており、子器１呼出検知回路１１、子器２呼出検知回路１２のいずれかにおいて、ドアホン子器Ｄ１，Ｄ２からの呼び出しを検知すると、マイコン１０は、切換接点１８を呼出元であるいずれかの子器Ｄ１，Ｄ２側に切り換えて、子器Ｄ１，Ｄ２側にカメラ電源を供給する。
【００２８】
このとき、子器設定スイッチｓｗの設定を参照して、呼出元の子器Ｄ１，Ｄ２の設定が「ＯＮ」になっていると呼出音回路１３によってスピーカｓｐから呼出音を鳴動させ、「ＯＦＦ」になっているときは呼出音を鳴動させない。
呼出音を鳴動させるときは、同時にＴＶ回路１５を作動して、子器Ｄ１，Ｄ２側の映像をモニタテレビｔｖに映し出す。そして、モニタテレビｔｖに映し出された映像を見て、通話ボタンｂ１を操作して応答すれば、通話回路１４によって通話信号（音声信号）を送受して、とマイクｍｉ、スピーカｓｐによるインターホン通話を開始する。
【００２９】
また、モニタボタンｂ２を操作したときには、マイコン１０は、子器設定スイッチｓｗの設定に従って、切換接点１８をいずれかの子器Ｄ１，Ｄ２側に切り換えて、子器Ｄ１，Ｄ２側に電源を供給し、受信した映像信号をモニタテレビｔｖに映し出し、あるいは、更に、受信した音声信号をスピーカｓｐから出力する。
なお、呼出信号を検出したときは、制御信号回路１６によって多重化回路１７から副親機Ａ１側に、呼出しがあった子器Ｄ１，Ｄ２を示した呼出制御信号を送出し、通話中やモニタ中はそのことを示す制御信号を送出している。
【００３０】
呼出音を鳴動させず、副親機Ａ１側に呼出制御信号を送出したとき、通話中やモニタ中の制御信号を受けたときは、回線使用中ランプｌを点灯あるいは点滅させる。なお、モニタ開始の制御信号を受けたときには、上記子器Ｄ１，Ｄ２からの呼出時と同様に、子器Ｄ１，Ｄ２側からの映像信号を受信し、そのまま副親機Ａ１側に送信する。
【００３１】
図５に示したインターホン副親機Ａ１側のマイコン２０は、制御信号回路２１によって多重化された信号を受信し、呼出制御信号を受信したときは、親機Ａと同様に、子器設定スイッチｓｗ１の設定によって、呼出音を鳴動させるか否かを判断し、鳴動させるときには、呼出音回路２２によりスピーカｓｐから呼出音を鳴動させる。
【００３２】
呼出音を鳴動させるときは、同時にＴＶ回路２４を作動して、子器Ｄ１，Ｄ２側の映像をモニタテレビｔｖに映し出すので、通話ボタンｂ１の操作により、その呼出しに応答すれば、通話回路２３とマイクｍｉ、スピーカｓｐによるインターホン通話を開始し、通話中の制御信号を送出する。
また、モニタボタンｂ２を操作したときには、マイコン２０は、子器設定スイッチｓｗ１の設定に従って、その子器Ｄ１，Ｄ２を指定した制御信号を親機Ａに送出する。そして、映像信号を受信すると、これをモニタテレビｔｖに映し出し、更に、音声信号を受信するとスピーカｓｐから出力する。また、モニタ中の制御信号を送出する。
【００３３】
なお、呼出制御信号を検出したときに、呼出元の子器Ｄ１，Ｄ２が、子器設定スイッチｓｗ１の設定と一致しないとき、親機Ａや他の副親機Ａ２，Ａ３から、通話中、モニタ中といった回線使用中の制御信号を受けたときは、回線使用中ランプｌを点灯あるいは点滅させる。
次に、本発明のテレビインターホンシステムの別の構成について、図６とともに説明する。ここでは、インターホン親機を各世帯に設置して（Ａ，Ａ’）、それぞれにドアホン子器Ｄ１，Ｄ２を接続する場合を示している。このような場合、通常は、各々の世帯の親機Ａ，Ａ’，Ａ１，Ａ２は、その世帯に対応して設置された子器Ｄ１，Ｄ２からの呼出に対してのみ応答するように設定されている。
【００３４】
ところが、各世帯のテレビインターホンシステムを、（ａ）のように、親機Ａ，Ａ’間に回線Ｌ３，Ｌ３と２世帯アダプタａｄを介在させたり、（ｂ）のように、各世帯の副親機Ａ１，Ａ２間を回線Ｌ２でシリアル接続して、２世帯住宅用のテレビインターホンシステムにした場合は、各親機Ａ，Ａ’，Ａ１，Ａ２の設定によって、他世帯の子器Ｄ１，Ｄ２からの呼出に対して代理応答することもできる。
【００３５】
なお、（ａ）内の２世帯アダプタａｄとは、図４に示したような構成のインターホン親機Ａ（Ａ’）間の伝送を可能とするものである。また、（ａ），（ｂ）におけるインターホン親機Ａ，Ａ’の構成は、図４において、子器Ｄ１，Ｄ２のうちの１台のみを接続した構成になる。
【００３６】
【発明の効果】
以上の説明からも理解できるように、本発明に係るテレビインターホンシステムによれば、以下の効果を奏する。
請求項１では、インターホン親機及びインターホン副親機の各々は、ドアホン子器からの呼び出しがあったときは、応答可能な子器の設定を参照して、呼出音の鳴動と、子器のカメラが撮影する映像のモニタテレビへの映し出しを判断するので、自世帯に対する来客の映像が、他世帯にも映し出されるようなことがなく、世帯間のプライバシーが守られる。
【００３７】
請求項２〜４では、モニタボタンが操作されたときに、予め設定された応答可能なドアホン子器に対してのみモニタするので、自世帯に対する来客の行動が、他世帯においても監視されるようなことがなく、モニタ機能においても世帯間のプライバシーが守られる。
請求項５では、他のインターホン親機又はインターホン副親機が、呼出音の鳴動、通話、ドアホン子器側のモニタのいずれかを行っているときは、そのことが表示されるので、モニタテレビに子器側の映像が映されなくても、ドアホン子器側のモニタなどが禁止されていることが分かる。
【００３８】
請求項６では、インターホン親機は、インターホン副親機をシリアル接続した構成なので、配線のシンプル化が図れ、施工を簡易にできる。また、伝送が１系統にできるので、各機器の制御が容易になる。
【図面の簡単な説明】
【図１】本発明のテレビインターホンシステムの構成の一例を示す図である。
【図２】本発明のテレビインターホンシステムの動作を説明するための図である。
【図３】本発明のテレビインターホンシステムの別の構成の一例を示す図である。
【図４】モニタテレビ付インターホン親機の構成の一例を示すブロック図である。
【図５】モニタテレビ付インターホン副親機の構成の一例を示すブロック図である。
【図６】本発明のテレビインターホンシステムの別の構成の例を示す図である。
【図７】従来のテレビインターホンシステムの構成を示す図である。
【符号の説明】
Ａ・・・モニタテレビ付インターホン親機
Ａ１〜Ａ３・・・モニタテレビ付インターホン副親機
ｓｗ，ｓｗ１〜ｓｗ３・・・子器設定スイッチ
ｂ１・・・通話ボタン
ｂ２・・・モニタボタン
ｌ・・・回線使用中ランプ
ｔｖ・・・モニタテレビ
ｓｐ・・・スピーカ
Ｄ１，Ｄ２・・・カメラ付ドアホン子器
ｃ・・・カメラ
ｂ・・・呼出ボタン
【図１】
0003966587.tif 000002
【図２】
0003966587.tif 000003
【図３】
0003966587.tif 000004
【図４】
0003966587.tif 000005
【図５】
0003966587.tif 000006
【図６】
0003966587.tif 000007
【図７】
0003966587.tif 000008